(57)【特許請求の範囲】
【請求項１】
上ハーフと下ハーフとにより構成され、円盤状記録媒体が回転可能に収納されたカートリッジ本体と、
上記カートリッジ本体に設けられ、上記円盤状記録媒体を記録及び／又は再生手段に臨ませる記録及び／又は再生用開口部と、
上記カートリッジ本体に設けられ、上記カートリッジ本体に収納された上記円盤状記録媒体を回転操作するための駆動手段が進入する駆動用開口部と、
第１のシャッタ部材と第２のシャッタ部材とからなり、上記記録及び／又は再生用開口部と上記駆動用開口部とを開閉するシャッタ機構とを備え、
上記第１のシャッタ部材と上記第２のシャッタ部材とは、上記カートリッジ本体の一の面側に配設され、回転操作されることで上記記録及び／又は再生用開口部と上記駆動用開口部とを開閉し、上記記録及び／又は再生用開口部と上記駆動用開口部とを閉蓋したとき、互いの一側で突き合わされ、
上記第１のシャッタ部材は、上記記録及び／又は再生用開口部と上記駆動用開口部とを開放した位置に移動されたとき、上記記録及び／又は再生用開口部の幅方向の側端面に上記一側が一致する形状とされていることを特徴とするディスクカートリッジ。
【発明の詳細な説明】
【０００１】
【発明の属する技術分野】
本発明は、情報処理装置等に用いられる円盤状記録媒体を回転可能に収納し、塵埃等の進入を防止するシャッタ手段を備えるディスクカートリッジに関し、さらに詳しくは２枚のシャッタ手段を備えるディスクカートリッジに関する。
【０００２】
【従来の技術】
ディスクカートリッジは、その内部空間に情報信号等の記録及び／又は再生（以下、記録再生という。）が行われる磁気ディスクや光磁気ディスク等の円盤状記録媒体（以下、ディスクという。）を回転可能に収納し、例えばコンピュータ等の情報処理装置に外部記憶装置として備えられるディスクドライブ装置に対して着脱自在に用いられる。ディスクカートリッジは、ディスクドライブ装置に対して着脱自在とすることにより、ディスクに記録された情報信号等の可搬性の向上を図るとともに、ディスクドライブ装置が記録再生可能な情報信号等の容量の増大を図る。
【０００３】
ディスクカートリッジは、通常、その内部空間に収納するディスクが塵埃等に対して脆弱であるために、シャッタ手段を備える。ディスクカートリッジは、情報信号の記録再生が行われない状態、すなわち待機状態において、ディスクに対して情報信号を記録再生する手段が進入する開口部をシャッタ手段が閉蓋し、ディスクを塵埃等から保護する。
【０００４】
従来のディスクカートリッジ１００は、図８に示すように、ディスク１０１と、このディスク１０１を回転可能に収納したカートリッジ本体１０２と、シャッタ１０３とにより構成される。ディスク１０１は、円盤状の記録再生媒体であり、ディスクドライブ装置により円周方向に回転駆動されて情報信号が記録再生される。カートリッジ本体１０２は、略矩形浅皿状の上ハーフと下ハーフとを組み合わせて構成され、その内部空間にディスク１０１が回転可能に収納されている。カートリッジ本体１０２は、その主面１０２ａに、ディスク１０１に対して情報信号の記録再生を行う記録再生機構（図示せず。）が進入するための開口部１０２ｂが設けられている。
【０００５】
シャッタ１０３は、金属材料等によって略薄板状又は略コ字状に形成される。シャッタ１０３は、図８において矢印Ｉで示すように、カートリッジ本体１０２の主面１０２ａに沿って平行に移動可能となるように設置される。
【０００６】
以上のように構成されたディスクカートリッジ１００は、シャッタ１０３が平行に移動して開口部１０２ｂを開閉するために、少なくとも開口部１０２ｂの幅と同じ幅の退避部１０２ｃがカートリッジ本体１０２に必要となる。したがって、ディスクカートリッジ１００は、収納するディスク１０１の径に対して開口部１０２ｂの幅が比較的大きな場合に、小型化が困難になるといった問題があった。
【０００７】
上述した問題を解決するために、２枚のシャッタ部材が同一平面上で開閉動作することによって開口部を開閉する、２枚シャッタ式ディスクカートリッジが提案されている。かかるディスクカートリッジは、開口部を２枚のシャッタ部材によって閉蓋し、これら２枚のシャッタ部材をそれぞれ異なる方向に移動して開蓋することで、小型化を図っている。
【０００８】
【発明が解決しようとする課題】
上述したような２枚シャッタ式ディスクカートリッジは、２枚のシャッタ部材の開閉方法に自由度が高く、様々な開閉方法を有するものが提案されている。しかしながら、かかるディスクカートリッジは、２枚のシャッタ部材の開閉方法によっては、開閉動作に必要なシャッタ部材の移動量が増えてシャッタ機構が複雑になり、カートリッジ本体の内部空間を効率的に利用してシャッタ機構を開閉動作させることが困難になるといった問題があった。かかるディスクカートリッジは、特に、ディスクの径に対して開口部の幅が比較的大きな場合において、この開口部を閉蓋するに足る大きさのシャッタ部材を、カートリッジ本体の内部空間を効率的に利用して開蓋させることが重要となる。
【０００９】
したがって、本発明は、同一平面上で開閉動作する２枚のシャッタ部材のうち、記録再生用開口部を開閉するシャッタ部材を回転して開閉させて、このシャッタ部材が少ない移動量で効率的に記録再生用開口部を開閉するようにシャッタ機構を設けることにより、カートリッジ本体の内部空間を効率的に利用してシャッタ機構が開閉動作するディスクカートリッジを提供することを目的とする。
【００１０】
【課題を解決するための手段】
上述した問題を解決するために、本発明にかかるディスクカートリッジは、ッジ本体と、上記カートリッジ本体に設けられ、上記円盤状記録媒体を記録及び／又は再生手段に臨ませる記録及び／又は再生用開口部と、上記カートリッジ本体に設けられ、上記カートリッジ本体に収納された上記円盤状記録媒体を回転操作するための駆動手段が進入する駆動用開口部と、第１のシャッタ部材と第２のシャッタ部材とからなり、上記記録及び／又は再生用開口部と上記駆動用開口部とを開閉するシャッタ機構とを備え、上記第１のシャッタ部材と上記第２のシャッタ部材とは、上記カートリッジ本体の一の面側に配設され、回転操作されることで上記記録及び／又は再生用開口部と上記駆動用開口部とを開閉し、上記記録及び／又は再生用開口部と上記駆動用開口部とを閉蓋したとき、互いの一側で突き合わされ、上記第１のシャッタ部材は、上記記録及び／又は再生用開口部と上記駆動用開口部とを開放した位置に移動されたとき、上記記録及び／又は再生用開口部の幅方向の側端面に上記一側が一致する形状とされていることを特徴とする。
【００１１】
以上のように構成された本発明にかかるディスクカートリッジによれば、第１のシャッタ部材が最小限の移動量を以て記録再生用開口部を開閉することから、カートリッジ本体の内部空間を効率的に利用してシャッタ機構を開閉動作される。
【００１２】
【発明の実施の形態】
以下、本発明の実施の形態について、図面を参照して詳細に説明する。まず、本発明の動作原理を説明するために概略を示すディスクカートリッジ１は、図１に示すように、記録媒体であるディスク２と、このディスク２を回転可能に収納したカートリッジ本体３と、シャッタ機構４とにより構成される。
【００１３】
カートリッジ本体３は、上ハーフと下ハーフとにより構成されて矩形薄箱形状を呈しており、その内部空間にディスク２を回転可能に収納する。カートリッジ本体３には、ディスクドライブ装置の駆動機構及び記録再生機構が進入するために、開口部５が形成されている。開口部５は、駆動用開口部６と、記録再生用開口部７とにより構成される。駆動用開口部６は、ディスク２をディスクドライブ装置の駆動機構に臨ませるために、カートリッジ本体３の略中央部に円形状に形成されている。記録再生用開口部７は、ディスク２をディスクドライブ装置の記録再生機構に臨ませるために、駆動用開口部６に連設されるとともに、ディスクカートリッジ１がディスクドライブ装置に装着され始める側、すなわち先端側に向けてディスク２の径方向に伸びて形成されている。
【００１４】
シャッタ機構４は、主として記録再生用開口部７を開閉する第１のシャッタ部材８と、主として駆動用開口部６を開閉する第２のシャッタ部材９とにより構成される。第１のシャッタ部材８と第２のシャッタ部材９とは、同一平面上で開閉動作し、それぞれの一側８ａ，９ａを互いに突き合わせて閉蓋する。
【００１５】
ディスクカートリッジ１は、ディスク２をカートリッジ本体３の中央部に収納することで、矩形薄箱形状であるカートリッジ本体３の投影面積を最も小さくすることができる。したがって、ディスクカートリッジ１は、ディスク２を回転駆動させるために円形状に形成される駆動用開口部６が、カートリッジ本体３の中心部に位置している。
【００１６】
また、ディスクカートリッジ１は、ディスクドライブ装置への装着時において、ディスク２の径方向にディスクドライブ装置の記録再生機構が操作されるために、記録再生用開口部７が、駆動用開口部に連設されてディスク２の径方向に伸びて形成されている。
【００１７】
そのため、ディスクカートリッジ１は、駆動用開口部６が形成された主面側において、図１（Ａ）に示すように、カートリッジ本体３の先端側のコーナ部３ａ、後端側のコーナ部３ｂ、先端側の側端部３ｃ、後端側の側端部３ｄ及びカートリッジ本体３の左右端側の側端部３ｅの内で、後端側のコーナ部３ｂの周辺に最も大きな空間的余裕がある。
【００１８】
したがって、ディスクカートリッジ１は、図１（Ａ）において矢印Ａで示すように、第２のシャッタ部材９を後端側のコーナ部３ｂに向けて斜め方向に移動して開蓋させ、開蓋した状態で後端側のコーナ部３ｂを最大限に利用するために、図１（Ｂ）で示すように、第２のシャッタ部材９の第１のシャッタ部材８と突き合わされる一側９ａを駆動用開口部６の側端面に接して斜めに形成することで、カートリッジ本体３の内部空間を効率的に利用して第２のシャッタ部材９を配置することができる。
【００１９】
また、ディスクカートリッジ１は、上述したように第２のシャッタ部材９の一側９ａが斜めに形成されているので、同一平面で突き合わされて閉蓋する第１のシャッタ部材８の一側８ａも、図１（Ａ）に示すように、第２のシャッタ部材９にならって斜めに形成される。
【００２０】
ディスクカートリッジ１は、第１のシャッタ部材８を、駆動用開口部の中心を回転中心として配置することにより、図１（Ａ）において矢印Ｂで示すように、反時計回りに回転して開蓋する。すなわち、ディスクカートリッジ１は、図１（Ｂ）に示すように、斜めに形成された一側８ａが記録再生用開口部７の幅方向の一側端に一致する位置まで回転させて、記録再生用開口部７を開蓋することにより、記録再生用開口部７を開蓋するために必要な第１のシャッタ部材８の移動量を最小限にすることができる。
【００２１】
なお、ディスクカートリッジ１は、第２のシャッタ部材９が後端側のコーナ部３ｂに向けて移動することから、第２のシャッタ部材９の移動方向が、駆動用開口部６の中心から先端方向を０度として時計回りに略１３５度の方向としたときに、後端側のコーナ部３ｂの空間的余裕を最も有効に利用できる。したがって、ディスクカートリッジ１は、第２のシャッタ部材９の一側９ａを、第２のシャッタ部材９の移動方向の法線方向である略４５度方向に傾けた駆動用開口部６の接線とすることが好ましい。すなわち、ディスクカートリッジ１は、第１のシャッタ部材８の一側８ａの傾きも略４５度であることが好ましい。
【００２２】
ディスクカートリッジ１は、第１のシャッタ部材８の一側８ａを４５度よりも大きな角度で傾けて形成すると、記録再生用開口部７を開蓋するための回転角度が大きくなってしまい、シャッタ機構５が複雑になるといった問題が生じる。
【００２３】
また、ディスクカートリッジ１は、第１のシャッタ部材８の一側８ａを４５度よりも小さな角度で傾けて形成すると、第２のシャッタ部材９の投影面積が第１のシャッタ部材８の投影面積と比べて大きくなってしまい、駆動用開口部６を開蓋するために、カートリッジ本体３の投影面積を大きくする必要が生じるといった問題がある。
【００２４】
したがって、ディスクカートリッジ１は、上述したように、開閉動作するために必要な第１のシャッタ部材８の移動量を最小限とすることから、カートリッジ本体の内部空間を効率的に利用してシャッタ機構５が構成される。
【００２５】
次に、本発明の実施の形態として示すディスクカートリッジ１０は、図２及び図３に示すように、ディスク１１と、このディスク１１を回転可能に収納したカートリッジ本体１２と、シャッタ機構１３とにより構成されて、ディスクドライブ装置に着脱自在に用いられる。なお、以下のディスクカートリッジ１０の説明においては、ディスクドライブ装置に装着する際に始めに挿入される側を先端側と称し、ディスクドライブ装置の回転駆動機構が進入する側を下面側と称するものとする。
【００２６】
ディスク１１は、ディスク基板１４と、このディスク基板１４に接着剤等によって中心軸を合わせて取り付けられた金属製のセンターハブ１５とにより構成される。ディスク基板１４は、円盤状の記録再生媒体であり、ディスクカートリッジ１０がディスクドライブ装置に装着されて情報信号の記録再生操作が行われる際に、ディスクドライブ装置の回転駆動機構のマグネットによってセンターハブ１５が吸着保持（チャッキング）され、円周方向に回転駆動されるとともに、ディスクドライブ装置の記録再生機構によって情報信号が記録再生される。
【００２７】
カートリッジ本体１２は、例えばＡＢＳ樹脂等の樹脂材料によって成形された上ハーフ１６と、下ハーフ１７と、下ハーフカバー１８とにより構成され、これら各部材が組み合わされて全体略薄箱状を呈している。カートリッジ本体１２には、上ハーフ１６と下ハーフ１７とを組み合わせて構成した内部空間に、ディスク１４が回転可能に収納される。また、カートリッジ本体１２には、下ハーフ１７と下ハーフカバー１８とを組み合わせて構成した内部空間に、シャッタ機構１３が収納される。
【００２８】
上ハーフ１６は、主面１６ａの外周部に外壁１６ｂが一体に立ち上がって形成され、略浅皿状を呈している。上ハーフ１６は、先端側の外壁１６ｂが緩やかな曲率の円弧状を呈している。すなわち、ディスクカートリッジ１０は、上ハーフ１６の先端側が円弧状に形成され、他の側部と形状の上で特徴づけられることで、ディスクドライブ装置への挿入方向を外観上容易に認識可能な構造とされる。また、上ハーフ１６は、この先端側の外壁１６ｂの中央部に位置して、下ハーフ１７の後述する記録再生用開口部２１と略同等の幅を有する開口部１６ｃが形成されている。
【００２９】
上ハーフ１６には、左端側の外壁１６ｂの先端部分に位置して、ディスクドライブ装置のシャッタ操作機構の開閉アームが嵌合しかつ摺動するアームガイド溝１６ｄが設けられており、このアームガイド溝１６ｄの所定の位置にシャッタ機構１３の後述するロック解除レバー２５ｂが突出するロック部材用孔部１６ｅが穿孔されている。また、上ハーフ１６には、このロック部材用孔部１６ｅの近傍に位置して、ロック部材２５の回転部２５ａを回転自在に嵌合するロック部材用凸部（図示せず。）が設けられている。
【００３０】
上ハーフ１６には、後端側の左右の角に位置して、それぞれ基準孔部１６ｆが突出して設けられている。基準孔部１６ｆは、基端が上ハーフ１６によって閉塞された円筒形状に形成され、ディスクカートリッジ１０がディスクドライブ装置に装着された際に、図示を省略する位置決め手段が挿入される。ディスクカートリッジ１０は、ディスクドライブ装置の位置決め手段が基準孔部１６ｆに挿入され、上ハーフ１６の主面に当接することにより、ディスクカートリッジ１０の前後左右方向及び高さ方向の位置決めが行われる。
【００３１】
上ハーフ１６には、先端側の右の角に位置して、ボス部１６ｇが突出して設けられている。ボス部１６ｇは、下ハーフカバー１８の後述するボス穴に嵌合することにより、上ハーフ１６と下ハーフ１７と下ハーフカバー１８との位置を合わせて固定する。
【００３２】
下ハーフ１７は、上ハーフ１６と同様に、主面１７ａの外周部に外壁１７ｂが一体に立ち上がって形成され、略浅皿状を呈している。下ハーフ１７は、外壁１７ｂの内側に円形の内壁１７ｃが形成されており、この内壁１７ｃの内側にディスク１１を回転可能に収納する。下ハーフ１７には、図２に示すように、内壁１７ｃの先端側の半円部分に外壁１７ｂが形成されていない。すなわち、カートリッジ本体１２は、上ハーフ１６の外壁１６ｂの先端側の一部が、下ハーフ１７の底面側の位置まで延設して形成されており、上ハーフ１６の外壁１６ｂと下ハーフ１７の外壁１７ｂとを組み合わせることによって、カートリッジ本体１２を一周する側面を形成するように構成される。下ハーフ１７は、左端側の外壁１７ｂに位置して、上ハーフ１６のアームガイド溝１６ｄと連続するアームガイド溝１７ｄが設けられている。
【００３３】
下ハーフ１７には、主面１７ａに開口部１９が開口している。開口部１９は、主面１７ａの中央部に位置して、ディスクドライブ装置の回転駆動機構が進入する駆動用開口部２０と、この駆動用開口部２に連設されて下ハーフ１７の先端側の内壁１７ｃまで伸びて開口し、ディスク１１に対する情報信号の記録再生機構が進入する記録再生用開口部２１とにより構成される。
【００３４】
下ハーフ１７には、その主面１７ａの下面側に位置して、シャッタ機構１３の後述する第１のシャッタ部材２３と第２のシャッタ部材２４とが摺動するシャッタ摺動凹部１７ｅが凹設されている。また、下ハーフ１７には、駆動用開口部２０の左側近傍に、シャッタ機構１３の後述する凸部３０と係合部３４とを案内するための切抜部１７ｆが開口している。
【００３５】
下ハーフ１７には、後端側の左右の角に位置して、上ハーフ７の基準孔部１６ｆが貫通する孔部１７ｇがそれぞれ穿孔されている。また、下ハーフ１７には、後端側左の角の孔部１７ｇの近傍に位置して、シャッタ機構１３の後述する支部ピン３２が嵌合して回転自在に支持する回転孔１７ｈが穿孔されている。下ハーフ１７には、回転孔１７ｈの近傍に位置して、シャッタ機構１３の後述する押圧ピン３３が嵌合して案内支持する案内孔１７ｉが穿孔されている。
【００３６】
下ハーフカバー１８は、薄板状に形成されてなり、下ハーフ１７の下面側を覆うことで、シャッタ機構１３を収納する機能を有している。下ハーフカバー１８には、下ハーフ１７の開口部１９と略同形状の開口部２２が開口部１９に対応する位置に形成されている。また、下ハーフカバー１８には、後端側の左右の角に位置して、上ハーフ１６の基準孔部１６ｆが嵌着する孔部１８ａがそれぞれ穿孔されており、先端側の右の角に位置して、上ハーフ１６のボス部１６ｇが嵌着する図示しないボス穴が穿孔されている。すなわち、下ハーフカバー１８は、上ハーフ１６の基準孔部１６ｆが下ハーフ１７の孔部１７ｇを貫通して孔部１８ａに嵌着され、上ハーフ１６のボス部１６ｇがボス穴に嵌着されることで、上ハーフ１６と下ハーフ１７との位置を合わせて固定される。
【００３７】
シャッタ機構１３は、例えばＡＢＳ樹脂等の樹脂材料又は金属等によって略薄板状に形成された、第１のシャッタ部材２３と、第２のシャッタ部材２４とにより構成され、第１のシャッタ部材２３を閉蓋した状態に保持するロック部材２５と、第２のシャッタ部材２４を閉蓋する方向に付勢するコイルバネ２６とを備える。
【００３８】
第１のシャッタ部材２３は、下ハーフ１７の記録再生用開口部２１を閉蓋するシャッタ部２７と、下ハーフ１７の内壁１７ｃに沿って摺動するガイド部２８と、このガイド部２８から延設して形成されて第１のシャッタ部材２３を開閉操作するための操作部２９とにより構成される。
【００３９】
シャッタ部２７は、記録再生用開口部２１を閉蓋するに足る大きさの台形状に形成され、その台形状の尖った先端部２７ａに円柱状の凸部３０が設けられている。シャッタ部２７は、下ハーフ１７の下面側に凹設されたシャッタ摺動部１７ｅを摺動して回転するように配設される。凸部３０は、第２のシャッタ部材２４の後述する係合部３４に係合して、下ハーフ１７の切抜部１７ｆを移動可能に配設されている。
【００４０】
シャッタ部２７は、その閉蓋時において、この凸部３０を挟む２辺のうち駆動用開口部２１に近い方の一側で第２のシャッタ部材２４と突き合わされる。なお、以下では、この第２のシャッタ部材２４と突き合わされる一側を突合せ側面２７ｂと称するものとする。
【００４１】
ガイド部２８は、シャッタ部２７の先端側に位置して立ち上がるように形成されており、下ハーフ１７の内壁１７ｃと同等の曲率で円弧状に形成されている。ガイド部２８は、シャッタ機構１３の開閉動作時に下ハーフ１７の内壁１７ｃに沿って摺動し、第１のシャッタ部材２３のシャッタ部２７を、図３において矢印Ｃ1及びＣ2で示す方向に回転させる機能を有している。また、ガイド部２８は、シャッタ部２７よりも右外側に延設して立ち上がっているために、シャッタ部２７が開蓋された状態においても上ハーフ１６の外壁１６ｂに形成された開口部１６ｃを閉蓋する。
【００４２】
連結部２９は、例えば金属等の適度な弾性を有する弾性材料によって、ガイド部２８に比して薄く形成され、ガイド部２８の左外側に延設している。連結部２９には、その所定の位置に、ロック部材２５が係止されるシャッタ係止孔２９ａが穿孔されている。また、連結部２９には、その末端に位置して、突起状の移動操作部２９ｂが設けられている。連結部２９は、下ハーフ１７の内壁１７ｃ及びアームガイド溝１７ｄに沿って摺動するように配設されている。連結部２９は、シャッタ機構１３の開閉動作時にディスクドライブ装置のシャッタ操作機構が移動操作部２９ｂに係合し、図３において矢印Ｄ1及びＤ2で示す方向に、アームガイド溝１６ｄ，１７ｄを摺動して操作されることによって、第１のシャッタ部材２３を開閉動作させる。
【００４３】
また、第１のシャッタ部材２３は、閉蓋した状態において、ロック部材２５によってその閉蓋状態を保持される。ロック部材２５は、上ハーフ１６のロック部材用凸部（図示せず。）に回転自在に嵌合される回転部２５ａと、上ハーフ１６のロック部材用孔部１６ｅに突出するロック解除レバー２５ｂと、第１のシャッタ部材２３のシャッタ係止孔２９ａに係止されるロック爪２５ｃと、ロック部材２５を所定の方向に付勢する付勢部２５ｄとにより構成される。
【００４４】
すなわち、ロック部材２５は、第１のシャッタ部材２３が閉蓋した状態において、ロック爪２５ｃが第１のシャッタ部材２３のシャッタ係止孔２９ａに係止され、この係止した状態を保持するように付勢部２５ｄによって付勢されることによって、第１のシャッタ部材２３を閉蓋した状態に保持する。また、ロック部材２５は、第１のシャッタ部材２３を開蓋する際に、ロック解除レバー２５ｂがカートリッジ本体１２の内部に押し込まれることによって反時計回りに回転し、ロック爪２５ｃがシャッタ係止孔２９ａから外されて、第１のシャッタ部材２３を回転自在な状態に解放する。
【００４５】
第２のシャッタ部材２４は、下ハーフ１７の駆動用開口部２０を閉蓋するシャッタ部３１と、回転の中心となる支部ピン３２と、コイルバネ２６が係止される押圧ピン３３と、第１のシャッタ部材２３の凸部３０が係合される係合部３４とにより構成される。第２のシャッタ部材２４は、コイルバネ２６によって、閉蓋する方向に付勢されている。コイルバネ２６は、環状部２６ａと、短棒部２６ｂと、長棒部２６ｃとにより構成される。
【００４６】
シャッタ部３１は、下ハーフ１７の駆動用開口部２０を閉蓋するに足る大きさの略扇形状に形成されており、その略扇形状の尖った先端部３１ａに円柱状の支部ピン３２が設けられている。シャッタ部３１には、支部ピン３２の近傍に位置して、突起状の押圧ピン３３が設けられている。シャッタ部３１は、下ハーフ１７の下面側に凹設されたシャッタ摺動部１７ｅを摺動して回転するように配設されている。すなわち、第１のシャッタ部材２３と第２のシャッタ部材２４とは、シャッタ摺動部１７ｅにおいて、同一平面上で開閉動作する。
【００４７】
支部ピン３２は、下ハーフ１７の下面側に設けられた回転孔１７ｈに嵌合して回転し、図３において矢印Ｅ1及びＥ2で示すように、第２のシャッタ部材２４が回転する際の回転中心となる。また、支部ピン３２には、コイルバネ２６の環状部２６ａがはめ込まれる。コイルバネ２６は、環状部２６ａが支部ピン３２にはめ込まれ、短棒部２６ｂが押圧ピン３３に係止されて、長棒部２６ｃが下ハーフ１７の外壁１７ｂの内部側において所定の位置に当接される。コイルバネ２６は、図３において矢印Ｅ2で示すように、第２のシャッタ部材２４を反時計回り方向、すなわち、閉蓋する方向に付勢している。
【００４８】
係合部３４は、第１のシャッタ部材２３の凸部３０が係合するためにシャッタ部３１からわずかに起立して設けられ、下ハーフ１７の切抜部１７ｆに沿って摺動するように配設されている。係合部３４は、第１のシャッタ部材２３が回転して開蓋する際に、第１のシャッタ部材２３の凸部３０を介して図３において矢印Ｅ1で示す方向、すなわち、後端側の方向に押圧されるとともに、切抜部１７ｆに係合して案内されることによって、第２のシャッタ部材２４を開蓋するように形成されている。
【００４９】
第２のシャッタ部材２４は、その閉蓋時において、記録再生用開口部２１に近い方の一側で第１のシャッタ部材２３の突合せ側面２７ｂと突き合わされる。なお、以下では、この第１のシャッタ部材２３と突き合わされる一側を突合せ側面３１ｂと称するものとする。
【００５０】
以上のように構成されたディスクカートリッジ１０は、ディスクドライブ装置に着脱される際に、以下で説明するようにシャッタ機構１３が開閉動作して、開口部１９を開閉する。
【００５１】
ディスクカートリッジ１０は、ディスクドライブ装置に装着されていない状態においては、図３に示すように、第１のシャッタ部材２３が記録再生用開口部２１を閉蓋しているとともに、第２のシャッタ部材２４が駆動用開口部２０を閉蓋している。ディスクカートリッジ１０においては、図３において矢印Ｅ2で示す方向に、第２のシャッタ部材２４がコイルバネ２６によって付勢されているが、ロック部材２５のロック爪２５ｃがシャッタ係止孔２９ａに嵌入することによって固定された第１のシャッタ部材２３に当接しているために、コイルバネ２６の付勢力に抗して固定されている。
【００５２】
ディスクカートリッジ１０は、その先端側からディスクドライブ装置に装着される際に、ディスクドライブ装置のシャッタ操作機構の開閉アームが、図３において矢印Ｄ1で示す方向、すなわち、ディスクカートリッジ１０の後端側へ向けて、アームガイド溝１６ｄ，１７ｄに沿って摺動する。ディスクカートリッジ１０は、シャッタ操作機構の開閉アームによって、ロック部材２５のロック解除レバー２５ｂがカートリッジ本体１２の内部へ押し込まれ、第１のシャッタ部材２３を固定しているロック爪２５ｃが外されて、第１のシャッタ部材２３を回転自在な状態に解放する。ディスクカートリッジ１０は、シャッタ操作機構の開閉アームがアームガイド溝１６ｄ，１７ｄをさらに後端側へ摺動して連結部２９の末端に設けられた移動操作部２９ｂに係合し、この移動操作部２９ｂを後端側へ押動される。
【００５３】
ディスクカートリッジ１０は、移動操作部２９ｂと一体に形成されたガイド部２８が、図３において矢印Ｃ1で示す方向に、下ハーフ１７の内壁１７ｃに沿って摺動し、ガイド部２８と一体に形成されたシャッタ部２７が反時計回りに回転して記録再生用開口部２１を開蓋する。ディスクカートリッジ１０は、第１のシャッタ部材２３が回転するとともに、第１のシャッタ部材２３の凸部３０が下ハーフ１７の切抜部１７ｆにより案内されて第２のシャッタ部材２４の係合部３４を後端側へ押動する。ディスクカートリッジ１０は、第２のシャッタ部材２４が、図３において矢印Ｅ1で示す方向にシャッタ摺動凹部１７ｅを摺動して、駆動用開口部２０を開蓋する。
【００５４】
ディスクカートリッジ１０においては、上述したように、第１のシャッタ部材２３と第２のシャッタ部材２４とが、下ハーフ１７に形成されたシャッタ摺動凹部１７ｅを摺動して同一平面上で開蓋し、それぞれの突合せ側面２７ｂ，３１ｂで突き合わされて、同一平面上で閉蓋する。
【００５５】
ディスクカートリッジ１０は、上述したように、第１のシャッタ部材２３がガイド部２８によって、矢印Ｃ1，Ｃ2で示すように、ディスク１１の外周に沿って開閉動作する。すなわち、ディスクカートリッジ１０は、第１のシャッタ部材２３が駆動用開口部２０の中心を回転中心として、回転して開閉動作する。
【００５６】
したがって、ディスクカートリッジ１０は、第１のシャッタ部材２３を開閉動作させるために必要な第１のシャッタ部材２３の移動量を最小限とすることができる。
【００５７】
ディスクカートリッジ１０は、シャッタ機構１３が動作することによって、図４に示すように、記録再生用開口部２１と駆動用開口部２０とを開蓋する。ディスクカートリッジ１０は、この状態において、ディスクドライブ装置の記録再生機構と駆動機構とを進入され、ディスク１１に対して情報信号の記録再生が行われる。また、ディスクカートリッジ１０は、ディスクドライブ装置に装着されると、ディスクドライブ装置に配設された位置決め手段が基準孔１６ｆに挿入され、位置決めされて保持される。
【００５８】
また、ディスクカートリッジ１０は、ディスクドライブ装置から排出される際に、ディスクドライブ装置のシャッタ操作機構の開閉アームがアームガイド溝１６ｄ，１７ｄに沿って、図３において矢印Ｄ2で示す方向、すなわち、先端側へ向けて摺動することによって、シャッタ操作機構によりシャッタ機構１３に対して開蓋する方向に与えられていた付勢力から解放される。
【００５９】
ディスクカートリッジ１０は、シャッタ機構１３のコイルバネ２６によって、図３において矢印Ｅ2で示す方向に、第２のシャッタ部材２４を駆動用開口部２０を閉蓋する。ディスクカートリッジ１０は、第２のシャッタ部材２４を閉蓋するとともに、第２のシャッタ部材２４の係合部３４が第１のシャッタ部材２３の凸部３０を先端側へ押動することにより、図３において矢印Ｃ2で示す方向に、第１のシャッタ部材２３を時計回りに回転して記録再生用開口部２１を閉蓋する。
【００６０】
ディスクカートリッジ１０は、第１のシャッタ部材２４を回転するとともに、第１のシャッタ部材２４の連結部２９をアームガイド溝１６ｄ，１７ｄに沿って、先端側へと摺動させる。ディスクカートリッジ１０は、ロック部材２５のロック爪２５ｃを第１のシャッタ部材２３のシャッタ係止孔２９ａに係止するとともに、ロック解除レバー２５ｂをロック部材用孔部１６ｅから突出させる。ディスクカートリッジ１０は、ロック部材２５が付勢部２５ｄによってこの係止した状態に付勢されることで、記録再生用開口部２１と駆動用開口部２０とを閉蓋した状態に保持する。
【００６１】
ディスクカートリッジ１０においては、上述したように、第１のシャッタ部材２３と第２のシャッタ部材２４とが、下ハーフ１７に形成されたシャッタ摺動凹部１７ｅを摺動して同一平面上で開蓋し、それぞれの突合せ側面２７ｂ，３１ｂで突き合わされて、同一平面上で閉蓋する。したがって、ディスクカートリッジ１０においては、下ハーフ１７のシャッタ摺動凹部１７ｅがシャッタ部材１枚分の厚みを以て凹状に形成されることによって、このシャッタ摺動凹部１７ｅに第１のシャッタ部材２３と第２のシャッタ部材２４とが収納される。
【００６２】
次に、本発明にかかるディスクカートリッジの他の実施の形態について示す。他の実施の形態にかかるディスクカートリッジ５０は、図５及び図６に示すように、ディスク５１と、このディスク５１を回転可能に収納したカートリッジ本体５２と、シャッタ機構５３とにより構成されて、ディスクドライブ装置に着脱自在に用いられる。なお、以下のディスクカートリッジ５０の説明においては、ディスクドライブ装置に装着する際に始めに挿入される側を先端側と称し、ディスクドライブ装置の回転駆動機構が進入する側を下面側と称するものとする。
【００６３】
ディスク５１は、ディスク基板５４と、このディスク基板５４に接着剤等によって中心軸を合わせて取り付けられた金属製のセンターハブ５５とにより構成される。ディスク基板５４は、円盤状の記録再生媒体であり、ディスクカートリッジ５０がディスクドライブ装置に装着されて情報信号の記録再生操作が行われる際に、ディスクドライブ装置の回転駆動機構のマグネットによってセンターハブ５５が吸着保持され、円周方向に回転駆動されるとともに、ディスクドライブ装置の記録再生機構によって情報信号が記録再生される。
【００６４】
カートリッジ本体５２は、例えばＡＢＳ樹脂等の樹脂材料によって成型された上ハーフ５６と、下ハーフ５７と、下ハーフカバー５８とにより構成され、これら各部材が組み合わされて全体略薄箱状を呈している。カートリッジ本体５２には、上ハーフ５６と下ハーフ５７とを組み合わせて構成した内部空間に、ディスク５１が回転可能に収納される。また、カートリッジ本体５２には、下ハーフ５７と下ハーフカバー５８とを組み合わせて構成した内部空間に、シャッタ機構５３が収納される。
【００６５】
上ハーフ５６は、主面５６ａの外周部に外壁５６ｂが一体に立ち上がって形成され、略矩形浅皿状を呈している。上ハーフ５６は、先端側の外壁５６ｂが緩やかな曲率の円弧状を呈している。すなわち、ディスクカートリッジ５０は、上ハーフ５６の先端側が円弧状に形成され、他の側部と形状の上で特徴づけられることで、ディスクドライブ装置への挿入方向を外観上容易に認識可能な構造とされる。また、上ハーフ５６は、この先端側の外壁５６ｂの中央部に位置して、下ハーフ５７の後述する記録再生用開口部６１と略同等の幅を有する開口部５６ｃが形成されている。
【００６６】
上ハーフ５６には、左端側の外壁５６ｂの先端部分に位置して、ディスクドライブ装置のシャッタ操作機構の開閉アームが嵌合しかつ摺動するアームガイド溝５６ｄが設けられており、このアームガイド溝５６ｄの所定の位置にシャッタ機構５３の後述するロック部材６５のロック解除レバー６５ｂが突出するロック部材用孔部５６ｅが穿孔されている。また、上ハーフ５６には、このロック部材用孔部５６ｅの近傍に位置して、ロック部材６５の回転部６５ａを回転自在に嵌合するロック部材用凸部（図示せず。）が設けられている。
【００６７】
上ハーフ５６には、後端側の左右の角に位置して、それぞれ基準孔部５６ｆが突出して設けられている。基準孔部５６ｆは、基端が上ハーフ５６によって閉塞された円筒形状に形成され、ディスクカートリッジ５０がディスクドライブ装置に装着された際に、図示を省略する位置決め手段が挿入される。ディスクカートリッジ５０は、ディスクドライブ装置の位置決め手段が基準孔部５６ｆに挿入され、上ハーフ５６の主面に当接することにより、ディスクカートリッジ５０の前後左右方向及び高さ方向の位置決めが行われる。
【００６８】
下ハーフ５７は、上ハーフ５６と同様に、主面５７ａの外周部に外壁５７ｂが一体に立ち上がって形成され、略浅皿状を呈している。下ハーフ５７は、外壁５７ｂの内側に円形の内壁５７ｃが形成されており、この内壁５７ｃの内側にディスク５１を回転可能に収納する。下ハーフ５７には、図４に示すように、内壁５７ｃの先端側の半円部分に外壁５７ｂが形成されていない。すなわち、カートリッジ本体５２は、上ハーフ５６の外壁５６ｂの先端側の一部が、下ハーフ５７の底面側の位置まで延設して形成されており、上ハーフ５６の外壁５６ｂと下ハーフ５７の外壁５７ｂとを組み合わせることによって、カートリッジ本体５２を一周する側面を形成するように構成される。下ハーフ５７は、左側の外壁５７ｂに位置して、上ハーフ５６のアームガイド溝５６ｄと連続するアームガイド溝５７ｄが設けられている。
【００６９】
下ハーフ５７には、主面５７ａに開口部５９が開口している。開口部５９は、主面５７ａの中央部に位置して、ディスクドライブ装置の回転駆動機構が進入する駆動用開口部６０と、この駆動用開口部６０に連設されて下ハーフ５７の先端側の内壁５７ｃまで伸びて開口し、ディスク５１に対する情報の記録再生機構が進入する記録再生用開口部６１とにより構成される。
【００７０】
下ハーフ５７には、その主面５７ａの下面側に位置して、シャッタ機構５３の後述する第１のシャッタ部材６３と第２のシャッタ部材６４とが摺動するシャッタ摺動凹部５７ｅが凹設されている。また、シャッタ摺動凹部５７ｅには、シャッタ機構５３の後述する凸部６９と長穴部７３とが摺動する長穴凹部５７ｆが凹設されている。また、シャッタ摺動凹部５７ｅには、後述する第２のシャッタ部材の第１の凸部７１と第２の凸部７２とが案内される案内溝５７ｇが所定の位置に形成されている。下ハーフ５７には、先端側の右の角と後端側の左右の角とに位置して、上ハーフ５６の基準孔部５６ｆが貫通する孔部５７ｈがそれぞれ穿孔されている。
【００７１】
下ハーフカバー５８は、薄板状に成形されてなり、下ハーフ５７の下面側を覆うことで、シャッタ機構５３を収納する機能を有している。下ハーフカバー５８には、下ハーフ５７の開口部５９と略同形状の開口部６２が開口部５９に対応する位置に形成されている。また、下ハーフ５７には、後端側の左右の角に位置して、上ハーフ５６の基準孔部５６ｆが嵌着する孔部５８ａがそれぞれ穿孔されている。すなわち、下ハーフカバー５８は、上ハーフ５６の基準孔部５６ｆが下ハーフ５７の孔部５７ｈを貫通して孔部５８ａに嵌着されることで、上ハーフ５６と下ハーフ５７との位置を合わせて固定される。
【００７２】
シャッタ機構５３は、例えばＡＢＳ樹脂等の樹脂材料又は金属等によって略薄板状に形成された、第１のシャッタ部材６３と、第２のシャッタ部材６４とにより構成され、第１のシャッタ部材６３を閉蓋した状態に保持するロック部材６５を備える。
【００７３】
第１のシャッタ部材６３は、下ハーフ５７の記録再生用開口部６１を閉蓋するシャッタ部６６と、下ハーフ５７の内壁５７ｃに沿って摺動するガイド部６７と、このガイド部６７から延設して形成されて第１のシャッタ部材６３を開閉操作するための連結部６８とにより構成される。
【００７４】
シャッタ部６６は、記録再生用開口部６１を閉蓋するに足る大きさの略扇形状に形成され、その略扇形状の尖った先端部６６ａに位置して、第２のシャッタ部材６４の後述する長穴部７３に係合する凸部６９が設けられている。すなわち、第１のシャッタ部材６３は、第２のシャッタ部材６４と連携して開閉動作するように、凸部６９が第２のシャッタ部材６４の長穴部７３に係合して下ハーフ５７の下面側に設置されている。シャッタ部６６は、その閉蓋時において、この凸部６９を挟む２辺のうち駆動用開口部６０に近い方の一側で第２のシャッタ部材６４と突き合わされる。なお、以下では、この第２のシャッタ部材６４と突き合わされる一側を突合せ側面６６ｂと称するものとする。
【００７５】
ガイド部６７は、シャッタ部６６の先端側に位置して立ち上がるように形成されており、下ハーフ５７の内壁５７ｃと同等の曲率で円弧状に形成されている。ガイド部６７は、シャッタ機構５３の開閉動作時に下ハーフ５７の内壁５７ｃに沿って摺動し、第１のシャッタ部材６３のシャッタ部６６を、図６において矢印Ｆ1及びＦ2で示す方向に回転させる機能を有している。また、ガイド部６７は、シャッタ部６６よりも右外側に延設して立ち上がっており、この延設する部分に切欠部６７ａが形成されている。したがって、第１のシャッタ部材６３は、開蓋された状態において、ガイド部６７の切欠部６７ａが下ハーフ５７の記録再生用開口部６１に合致して大きな開口を形成するために、ディスクドライブ装置の記録再生手段の進入を容易くする。
【００７６】
連結部６８は、例えば金属等の適度な弾性を有する弾性材料によって、ガイド部６７に比して薄く形成され、ガイド部６７の左外側に延設している。連結部６８には、その所定の位置に、ロック部材６５が係止されるシャッタ係止孔６８ａが穿孔されている。また、連結部６８には、その末端に位置して、突起状の移動操作部６８ｂが設けられている。また、連結部６８は、下ハーフ５７の内壁５７ｃ及びアームガイド溝５７ｄに沿って摺動するように配設されている。連結部６８は、シャッタ機構５３の開閉動作時にディスクドライブ装置のシャッタ操作機構が移動操作部６８ｂに係合し、図６において矢印Ｇ1及びＧ2で示す方向に、アームガイド溝５６ｄ，５７ｄを摺動して操作されることによって、第１のシャッタ部材６３を開閉動作させる。
【００７７】
また、第１のシャッタ部材６３は、閉蓋した状態において、ロック部材６５によってその閉蓋状態を保持される。ロック部材６５は、上ハーフ５６のロック部材用凸部（図示せず。）に回転自在に嵌合される回転部６５ａと、上ハーフ５６のロック部材用孔部５６ｅに突出するロック解除レバー６５ｂと、第１のシャッタ部材６３のシャッタ係止孔６８ａに係止されるロック爪６５ｃと、ロック部材６５を所定の方向に付勢する付勢部６５ｄとにより構成される。
【００７８】
すなわち、ロック部材６５は、第１のシャッタ部材６３が閉蓋した状態において、ロック爪６５ｃが第１のシャッタ部材６３のシャッタ係止孔６８ａに係止され、この係止した状態を保持するように付勢部６５ｄによって付勢されることによって、第１のシャッタ部材６３を閉蓋した状態に保持する。また、ロック部材６５は、第１のシャッタ部材６３を開蓋する際に、ロック解除レバー６５ｂがカートリッジ本体５２の内部に押し込まれることによって反時計回りに回転し、ロック爪６５ｃがシャッタ係止孔６８ａから外されて、第１のシャッタ部材６３を回転自在な状態に解放する。
【００７９】
第２のシャッタ部材６４は、下ハーフ５７の駆動用開口部６０を閉蓋するシャッタ部７０と、このシャッタ部７０に設けられる第１の凸部７１と、同様にシャッタ部７０に設けられる第２の凸部７２と、第１のシャッタ部材６３に係合する長穴部７３とにより構成される。
【００８０】
シャッタ部７０は、下ハーフ５７の駆動用開口部６０を閉蓋するに足る大きさの略台形状に形成されている。また、シャッタ部７０は、記録再生用開口部６１に近い方の一側で第１のシャッタ部材６３の突合せ側面６６ｂと突き合わされて閉蓋する。なお、以下では、この第１のシャッタ部材６３と突き合わされる一側を突合せ側面７０ａと称するものとする。
【００８１】
第１の凸部７１と第２の凸部７２とは、それぞれ下ハーフ５７の案内溝５７ｇに沿って摺動自在となるように、シャッタ部７０の先端側寄りと後端側寄りとに位置して、それぞれ凸状に形成されている。
【００８２】
長穴部７３は、シャッタ部７０の後端部の左側に連設され、シャッタ部７０よりもわずかに上面側に位置して平面状に形成されており、下ハーフ５７の長穴凹部５７ｆに案内されて摺動する。また、長穴部７３には、第１のシャッタ部材６３の凸部６９に係合する長穴７４が穿孔されている。すなわち、第２のシャッタ部材６３は、第１のシャッタ部材６３と連携して開閉動作するように、長穴７４が凸部６９に係合されて下ハーフ５７の下面側に設置されている。
【００８３】
以上のように構成されたディスクカートリッジ５０は、ディスクドライブ装置に着脱される際に、以下で説明するようにシャッタ機構５３が開閉動作して、開口部５９を開閉する。
【００８４】
ディスクカートリッジ５０は、ディスクドライブ装置に装着されていない状態においては、図６に示すように、第１のシャッタ部材６３が記録再生用開口部６１を閉蓋しているとともに、第２のシャッタ部材６４が駆動用開口部６０を閉蓋している。ディスクカートリッジ５０においては、ロック部材６５のロック爪６５ｃが第１のシャッタ部材６３のシャッタ係止孔６８ａに嵌入することによって固定されており、第２のシャッタ部材６４が長穴７４と凸部６９とを介して第１のシャッタ部材６３に連設しているために、開口部５９を閉蓋した状態に保持されている。
【００８５】
ディスクカートリッジ５０は、その先端側からディスクドライブ装置に装着される際に、ディスクドライブ装置のシャッタ操作機構の開閉アームが、図６において矢印Ｇ1で示す方向、すなわち、ディスクカートリッジ５０の後端側へ向けて、アームガイド溝５６ｄ，５７ｄに沿って摺動する。ディスクカートリッジ５０は、シャッタ操作機構の開閉アームによって、ロック部材６５のロック解除レバー６５ｂがカートリッジ本体５２の内部へ押し込まれ、第１のシャッタ部材６３を固定しているロック爪６５ｃが外されて、第１のシャッタ部材６３を回転自在な状態に解放する。ディスクカートリッジ５０は、シャッタ操作機構の開閉アームがアームガイド溝５６ｄ，５７ｄをさらに後端側へ摺動して連結部６８の末端に設けられた移動操作部６８ｂに係合し、この移動操作部６８ｂを後端側へ押動される。
【００８６】
ディスクカートリッジ５０は、移動操作部６８ｂと一体に形成されたガイド部６７が、図６において矢印Ｆ1で示す方向に、下ハーフ５７の内壁５７ｃに沿って摺動し、ガイド部６７と一体に形成されたシャッタ部６６が反時計回りに回転して記録再生用開口部６１を開蓋する。ディスクカートリッジ５０は、第１のシャッタ部材６３が回転するとともに、第１のシャッタ部材６３の凸部６９が長穴７４を介して長穴部７３を後端側へ向けて押動し、図６において矢印Ｈ1で示す方向にシャッタ摺動凹部５７ｅを摺動して駆動用開口部６０を開蓋する。
【００８７】
ディスクカートリッジ５０は、上述したようにシャッタ機構５３が動作することによって、図７に示すように、記録再生用開口部６１と駆動用開口部６０とを開蓋する。ディスクカートリッジ５０は、この状態において、ディスクドライブ装置の記録再生機構と駆動機構とを進入され、ディスク５１に対して情報信号の記録再生が行われる。また、ディスクカートリッジ５０は、ディスクドライブ装置に装着されると、ディスクドライブ装置に配設された位置決め手段が基準孔部５６ｆに挿入され、位置決めされて保持される。
【００８８】
また、ディスクカートリッジ５０は、ディスクドライブ装置から排出される際に、ディスクドライブ装置のシャッタ操作機構の開閉アームがアームガイド溝５６ｄ，５７ｄに沿って、図６において矢印Ｇ2で示すように、先端側へ向けて摺動することによって、連結部６８を先端側へ向けて押動される。ディスクカートリッジ５０は、連結部６８に連設された第１のシャッタ部材６３のシャッタ部６６を、図３において矢印Ｄ2で示す方向、すなわち、時計方向に回転させて記録再生用開口部６１を閉蓋する。ディスクカートリッジ５０は、第１のシャッタ部材６３を回転させるとともに、第１のシャッタ部材６３の凸部６９が長穴７４を介して長穴部７３を先端側へ向けて押動し、第２のシャッタ部材６４を、図６において矢印Ｈ2で示すように、先端側へ移動して駆動用開口部６０を閉蓋する。
【００８９】
また、ディスクカートリッジ５０は、記録再生用開口部６１が完全に閉蓋される位置まで第１のシャッタ部材６６を回転すると、ロック部材６５のロック爪６５ｃを第１のシャッタ部材６３のシャッタ係止孔６８ａに係止するとともに、ロック解除レバー６５ｂをロック部材用孔部５６ｅから突出させる。ディスクカートリッジ５０は、ロック部材６５が付勢部６５ｄによってこの係止した状態に付勢されることで、記録再生用開口部６１と駆動用開口部６０とを閉蓋した状態に保持する。
【００９０】
ディスクカートリッジ５０においては、第１のシャッタ部材６３と第２のシャッタ部材６４とが、下ハーフ５７に形成されたシャッタ摺動凹部５７ｅを摺動して同一平面上で開蓋し、それぞれの突合せ側面６６ｂ，７０ｂで突き合わされて同一平面上で閉蓋する。
【００９１】
ディスクカートリッジ５０は、上述したように、第１のシャッタ部材６３がガイド部６７によって、矢印Ｆ1，Ｆ2で示すように、ディスク５１の外周に沿って開閉動作する。すなわち、ディスクカートリッジ５０は、第１のシャッタ部材６３が駆動用開口部６０の中心を回転中心として、回転して開閉動作する。
【００９２】
したがって、ディスクカートリッジ５０は、第１のシャッタ部材６３を開閉動作させるために必要な第１のシャッタ部材６３の移動量を最小限とすることができる。
【００９３】
なお、本発明は、上述した実施の形態に限定されるものではない。ディスクカートリッジ１０及びディスクカートリッジ５０は、下ハーフ１７，５７に記録再生用開口部２１，６１と駆動用開口部２０，６０とを連設して開口したが、これら記録再生用開口部２１，６１と駆動用開口部２０，６０とを連設せずに開口してもよい。
【００９４】
また、ディスクカートリッジ１０及びディスクカートリッジ５０は、下ハーフ１７，５７に記録再生用開口部２１，６１と駆動用開口部２０，６０とを開口したが、上ハーフ２６，５６にもそれぞれ開口し、シャッタ機構１３，５３を上ハーフ１６，５６にも設けるようにしてもよい。
【００９５】
ディスクカートリッジ１０は、第１のシャッタ部材２３の凸部３０と第２のシャッタ部材２４の係合部３４とが係合して、連携して開閉動作するように構成したが、ディスクカートリッジ５０と同様に、凸部と長穴とによってカム状に連携して開閉動作させ、コイルバネ１７を不要として構成してもよい。
【００９６】
ディスクカートリッジ５０は、第１のシャッタ部材６３の凸部６９と第２のシャッタ部材６４の長穴７４とが係合して、連携して開閉動作するように構成したが、ディスクカートリッジ１０と同様に、凸部と係合部とによって連携して開閉動作させ、コイルバネ等の付勢手段を設けて構成してもよい。
【００９７】
なお、上述したディスクカートリッジ１、ディスクカートリッジ１０及びディスクカートリッジ５０は、円形状をした駆動用開口部６，２０，６０の径と、カートリッジ本体３，１２，５２の先端側に伸びて形成される記録再生用開口部７，２１，６１の幅とが一致するように構成したが、例えば記録再生用開口部の幅を駆動用開口部の径に比べて狭く形成してもよい。かかる場合に、第１のシャッタ部材の開閉動作に必要な移動量を最小限とするには、第１のシャッタ部材の第２のシャッタ部材と突き合わされる一側が、記録再生用開口部の先端側の一方のコーナを通る駆動用開口部の接線に一致する角度だけ第１のシャッタ部材を回転して記録再生用開口部を開閉するように構成すればよい。
【００９８】
【発明の効果】
以上説明したように、本発明にかかるディスクカートリッジによれば、第１のシャッタ部材が最小限の移動量を以て記録再生用開口部を開閉することから、カートリッジ本体の内部空間を効率的に利用してシャッタ機構を開閉動作させることができる。
【００９９】
したがって、かかるディスクカートリッジによれば、特に、ディスクの径に対して開口部の幅が比較的大きな場合においても、シャッタ機構を開蓋させるためにカートリッジ本体の投影面積を大きくする必要がなくなる。
【図面の簡単な説明】
【図１】本発明にかかるディスクカートリッジの動作原理を説明するための概略図である。
【図２】本発明の実施の形態として示すディスクカートリッジの分解斜視図である。
【図３】同ディスクカートリッジのシャッタ機構の閉蓋状態を示す透視説明図である。
【図４】同ディスクカートリッジのシャッタ機構の開蓋状態を示す説透視明図である。
【図５】本発明にかかる他のディスクカートリッジの分解斜視図である。
【図６】同ディスクカートリッジのシャッタ機構の閉蓋状態を示す透視説明図である。
【図７】同ディスクカートリッジのシャッタ機構の開蓋状態を示す透視説明図である。
【図８】従来のディスクカートリッジの概略平面図である。
【符号の説明】
１０  ディスクカートリッジ、１１  ディスク、１２  カートリッジ本体、１３  シャッタ機構、１６  上ハーフ、１７  下ハーフ、１７ｅ  シャッタ摺動凹部、１８  下ハーフカバー、１９  開口部、２０  駆動用開口部、２１  記録再生用開口部、２３  第１のシャッタ部材、２４  第２のシャッタ部材、２５  ロック部材、２６  コイルバネ、２７  シャッタ部（第１のシャッタ部材）、２８ガイド部、２９  連結部、２９ｂ  移動操作部、３０  凸部、３１  シャッタ部（第２のシャッタ部材）、３２  支部ピン、３３  押圧ピン、３４  係合部
【図１】
0003903601.tif 000002
【図２】
0003903601.tif 000003
【図３】
0003903601.tif 000004
【図４】
0003903601.tif 000005
【図５】
0003903601.tif 000006
【図６】
0003903601.tif 000007
【図７】
0003903601.tif 000008
【図８】
0003903601.tif 000009